(57)【要約】【課題】重ね合わされてその一部が互いに接着された複数枚の用紙を人手によらずに分離する。【解決手段】重ね合わされた複数枚の用紙に対して、用紙の全幅に渡って用紙の一端部側となる第１の方向から空気を吹き付けるエアー供給ノズル６２及びエアー供給器６１と、用紙の第１の方向とは反対側の端部を、複数枚の用紙がエアー供給ノズル６２から吹き付けられる空気によって第１の方向とは反対側の第２の方向に飛び出さないように支える上面支え軸１１ａ，１１ｂとを有する。【選択図】図１
2009067586.tif 000002
【特許請求の範囲】
【請求項１】
重ね合わされた複数枚の用紙に対して、前記用紙の全幅に渡って該用紙の一端部側となる第１の方向から空気を吹き付ける空気吹付手段と、
前記用紙の前記第１の方向とは反対側の端部を、前記複数枚の用紙が前記空気吹付手段から吹き付けられる空気によって前記第１の方向とは反対側の第２の方向に飛び出さないように支える支持部材とを有する紙捌き装置。
【発明の詳細な説明】
【技術分野】
【０００１】
本発明は、重ね合わされた複数枚の用紙を１枚ずつに分離しやすいように捌く紙捌き装置に関し、特に、その一部が互いに接着された用紙を分離する技術に関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を通知するはがきにおいては、折り畳み可能に連なる複数のはがき片から構成され、はがき片の情報が印字された面どうしが対向するように折り畳まれてこれらが剥離可能に接着される圧着はがきが用いられている。この圧着はがきに用いられる接着剤は、加圧することにより接着されるものであって、塗工後、はがき片を折り畳んで加圧することにより、はがき片を剥離可能に接着することができる。このような圧着はがきは、連続状の用紙が単片状に断裁されることにより作製されている（例えば、特許文献１参照。）。
【０００４】
図８は、圧着はがきを作製するための圧着はがき用連続紙の一構成例を示す図であり、（ａ）は表面の構成を示す図、（ｂ）は（ａ）に示したＡ−Ａ’断面図である。
【０００５】
上述したような圧着はがきを作製する場合は、図８（ａ）に示すように、圧着はがきとなるはがき部５０１が連続した圧着はがき用連続紙５００が用いられる。本従来例における圧着はがき用連続紙５００は、圧着はがきとなるはがき部５０１がマージナル部５０３を介して連続し、図８（ｂ）に示すように、連続状のはがき用紙５０４の一方の面に感圧接着剤５０５が塗布されて構成されている。はがき部５０１の連続方向両端部には、マージナル部５０３と切り離されるためのカットライン５０２ａ，５０２ｂが設けられており、このカットライン５０２ａ，５０２ｂに沿ってはがき用紙５０４を断裁することにより、複数のはがき部５０１が単片状とされるとともに、マージナル部５０３がはがき部５０１から切り離される。その後、はがき部５０１が、感圧接着剤５０５が対向するように折り畳まれて圧力が加えられることにより、はがき部５０１を構成するはがき片が剥離可能に接着された圧着はがきが作製される。
【０００６】
このように、圧着はがきとなるはがき部５０１がマージナル部５０３を介して連続してなる圧着はがき用連続紙５００を用いて圧着はがきを作製する場合は、はがき部５０１の連続方向両端部に設けられたカットライン５０２ａ，５０２ｂに沿ってはがき用紙５０４を断裁することになるため、１枚のはがき部５０１に対して２回の断裁処理が必要となる。ここで、まず、はがき部５０１の連続方向両端部に設けられたカットライン５０２ａ，５０２ｂのうち一方のカットラインに沿ってのみはがき用紙５０４を断裁し、その後、はがき部５０１とマージナル部５０３とが組で単片状となったものを重ね合わせ、他方のカットラインに沿ってはがき用紙５０４を断裁すれば、断裁処理回数が削減され、圧着はがきの作製工程の簡略化を図ることができる。
【特許文献１】特開平１１−１０５４７１号公報
【発明の開示】
【発明が解決しようとする課題】
【０００７】
図９は、図８に示した圧着はがき用連続紙５００から圧着はがきを作製する場合に、はがき部５０１とマージナル部５０３とが組で単片状となったものを重ね合わせた状態でカットライン５０２ｂに沿ってはがき用紙５０４を断裁する際の作用を説明するための図であり、（ａ）ははがき部５０１とマージナル部５０３とが組で単片状となったものを重ね合わせた状態を示す斜視図、（ｂ）は（ａ）に示した状態でカットライン５０２ｂに沿ってはがき用紙５０４が断裁された状態を示す斜視図である。
【０００８】
図８に示した圧着はがき用連続紙５００を用いて圧着はがきを作製する場合、まず、カットライン５０２ａに沿ってはがき用紙５０４を断裁して単片状とし、その後、図９（ａ）に示したように重ね合わせ、カットライン５０２ｂに沿ってはがき用紙５０４を断裁する。
【０００９】
すると、カットライン５０２ｂに断裁による圧力が加わるため、重ね合わされた複数のはがき部５０１において、図９（ｂ）に示すように、カットライン５０２ｂの近傍に互いに接着した接着部５０４ａが生じてしまうことになる。
【００１０】
重ね合わされた複数のはがき部５０１が、カットライン５０２ｂの近傍等の一部にて互いに接着した場合は、その後、はがき部５０１をフィード処理する際に、互いに接着されたはがき部５０１が複数枚一度にフィードされてしまう等といった不具合が生じてしまうという問題点がある。
【００１１】
本発明は、上述したような従来の技術が有する問題点に鑑みてなされたものであって、重ね合わされてその一部が互いに接着された複数枚の用紙を人手によらずに分離することができる紙捌き装置を提供することを目的とする。
【課題を解決するための手段】
【００１２】
上記目的を達成するために本発明は、
重ね合わされた複数枚の用紙に対して、前記用紙の全幅に渡って該用紙の一端部側となる第１の方向から空気を吹き付ける空気吹付手段と、
前記用紙の前記第１の方向とは反対側の端部を、前記複数枚の用紙が前記空気吹付手段から吹き付けられる空気によって前記第１の方向とは反対側の第２の方向に飛び出さないように支える支持部材とを有する。
【００１３】
上記のように構成された本発明においては、重ね合わされた複数枚の用紙に対して、用紙の全幅に渡って用紙の一端部側となる第１の方向から空気吹付手段によって空気が吹き付けられると、吹き付けられた空気が複数枚の用紙間を通って反対側に抜けて、複数枚の用紙が分離することになる。その際、一部が互いに接着された用紙においては、空気吹付手段から吹き付けられる空気がその接着部分に当たり、空気吹付手段から空気が吹き付けられる第１の方向とは反対側の第２の方向に飛び出そうとする。ところが、用紙の第１の方向とは反対側の端部は、複数枚の用紙が空気吹付手段から吹き付けられる空気によって第２の方向に飛び出さないように支持部材によって支えられているので、空気吹付手段から吹き付けられる空気が用紙どうしの接着部分に当たっても、一部が互いに接着された用紙が第２の方向に飛び出すことが規制される。そのため、空気吹付手段から吹き付けられた空気による力が用紙の接着部分に強く作用し、それにより、接着部分が剥離して、一部が互いに接着された複数枚の用紙が分離することになる。
【発明の効果】
【００１４】
以上説明したように本発明においては、重ね合わされた複数枚の用紙に対して、用紙の全幅に渡って用紙の一端部側となる第１の方向から空気を吹き付ける空気吹付手段と、用紙の第１の方向とは反対側の端部を、複数枚の用紙が空気吹付手段から吹き付けられる空気によって第１の方向とは反対側の第２の方向に飛び出さないように支える支持部材とを有する構成としたため、重ね合わされた用紙のうち一部が互いに接着された用紙においては、空気吹付手段から吹き付けられた空気による力が用紙の接着部分に強く作用し、それにより、接着部分が剥離して、重ね合わされてその一部が互いに接着された複数枚の用紙を人手によらずに分離することができる。
【発明を実施するための最良の形態】
【００１５】
以下に、本発明の実施の形態について図面を参照して説明する。
【００１６】
図１は、本発明の紙捌き装置の実施の一形態を示す図であり、（ａ）は外観斜視図、（ｂ）は上面から見た図である。また、図２は、図１に示したエアー供給ノズル６２の詳細な構造を示す図である。
【００１７】
本形態は図１に示すように、重ね合わされた複数枚の用紙が載置される載置台３０と、載置台３０上にてそれぞれ互いに対向して配置された挟持板１０ａ，１０ｂ及び端面支え部材２０ａ，２０ｂと、載置台３０上に載置された複数枚の用紙の上面側の端部を支える支持部材である２本の上面支え軸１１ａ，１１ｂと、載置台３０上に載置された複数枚の用紙の下面側の端部を支える２本の下面支え軸１２ａ，１２ｂと、載置台３０上に固定され、ばね３２ａ，３２ｂを介して挟持板１０ａ，１０ｂをそれぞれ支持する支持板３１ａ，３１ｂと、載置台３０上に載置された複数枚の用紙に対して空気を吹き付ける空気吹付手段を構成するエアー供給器６１及びエアー供給ノズル６２とから構成されている。
【００１８】
端面支え部材２０ａ，２０ｂは、載置台３０の端面支え部材２０ａ，２０ｂと挟持板１０ａ，１０ｂによって囲まれた領域に載置された複数枚の用紙の端部を支えるものであって、載置台３０上に載置される用紙の大きさに合わせて互いの間隔を調節できるように移動自在に構成されている。
【００１９】
挟持板１０ａ，１０ｂは、載置台３０の端面支え部材２０ａ，２０ｂと挟持板１０ａ，１０ｂとによって囲まれた領域に載置された複数枚の用紙を表裏から挟み込んで支えるものであって、それぞればね３２ａ，３２ｂを介して支持板３１ａ，３１ｂに固定されていることにより、互いに間隔が可変となるように構成されている。
【００２０】
載置台３０には、端面支え部材２０ａ，２０ｂと挟持板１０ａ，１０ｂとによって囲まれた領域に表裏貫通した穴部３３が形成されており、この穴部３３に対向する領域に、エアー供給器６１から供給された空気を排出するエアー供給ノズル６２が配置されている。それにより、エアー供給器６１から供給された空気が載置台３０の穴部３３が形成された領域に対してエアー供給ノズル６２によって吹き付けられることになる。そして、エアー供給ノズル６２は、載置台３０の端面支え部材２０ａ，２０ｂと挟持板１０ａ，１０ｂとによって囲まれた領域に載置された用紙の重ね合わせ方向に支持軸６３によって穴部３３に対向しながら移動可能に構成されている。また、図２に示すように、エアー供給ノズル６２はその先端部が複数のエアー吹出口６４からなり、複数のエアー吹出口６４は、載置台３０の端面支え部材２０ａ，２０ｂと挟持板１０ａ，１０ｂとによって囲まれた領域に載置された用紙の重ね合わせ方向に直交する方向に、用紙の全幅に渡って配列されている。すなわち、エアー供給ノズル６２は、載置台３０の端面支え部材２０ａ，２０ｂと挟持板１０ａ，１０ｂとによって囲まれた領域に重ね合わされて載置された複数枚の用紙に対して、用紙の全幅に渡って用紙の一端部側となる第１の方向から空気を吹き付けることになる。
【００２１】
下面支え軸１２ａ，１２ｂは、載置台３０の端面支え部材２０ａ，２０ｂと挟持板１０ａ，１０ｂとによって囲まれた領域に載置された複数枚の用紙の、エアー供給ノズル６２によって空気が吹き付けられる側の端部を支えるものであって、載置台３０の穴部３３において、挟持板１０ａ，１０ｂが対向する方向に掛け渡されている。
【００２２】
上面支え軸１１ａ，１１ｂは、載置台３０の端面支え部材２０ａ，２０ｂと挟持板１０ａ，１０ｂとによって囲まれた領域に載置された複数枚の用紙の、エアー供給ノズル６２によって空気が吹き付けられる側とは反対側の端部を支えるものであって、挟持板１０ａ，１０ｂの上端部にて、挟持板１０ａ，１０ｂが対向する方向に掛け渡されている。これにより、載置台３０の端面支え部材２０ａ，２０ｂと挟持板１０ａ，１０ｂとによって囲まれた領域に載置された複数枚の用紙は、エアー供給ノズル６２によって吹き付けられた空気によって第１の方向とは反対側の第２の方向に飛び出さないように支えられている。また、上面支え軸１１ａ，１１ｂは、載置台３０の端面支え部材２０ａ，２０ｂと挟持板１０ａ，１０ｂとによって囲まれた領域に複数枚の用紙を載置する際に障害とならないように、跳ね上げ構造や抜き差し可能な構造となっている。
【００２３】
以下に、上記のように構成された紙捌き装置１を用いた紙捌き方法について説明する。
【００２４】
まず、上記のように構成された紙捌き装置１にて捌かれる用紙について説明する。
【００２５】
図３は、図１に示した紙捌き装置１にて捌かれる用紙の一例を示す図であり、（ａ）は複数枚重ね合わされた断面図、（ｂ）は複数枚重ね合わされた斜視図である。
【００２６】
図１に示した紙捌き装置１にて捌かれる用紙としては、例えば、図３（ａ）に示すように、はがき用紙２の一方の面に感圧接着剤３が塗布された圧着はがきが挙げられる。このような圧着はがきが重ね合わされた状態でその端部が断裁されると、断裁による圧力が加わるため、図３（ｂ）に示すように、重ね合わされた複数のはがき用紙２の断裁領域近傍において、感圧接着剤３によって互いに接着した接着部３ａが生じている。
【００２７】
このように重ね合わされた圧着はがきは、接着部３ａが生じた端部が上面側となるように、載置台３０の端面支え部材２０ａ，２０ｂと挟持板１０ａ，１０ｂとによって囲まれた領域に載置されることになる。
【００２８】
図４は、図１に示した紙捌き装置１の載置台３０上に図３に示したように重ね合わされた圧着はがき４が載置された状態を示す図であり、（ａ）は上面から見た図、（ｂ）は端面支え部材２０ｂ側から見た図である。
【００２９】
図４に示すように、図３に示したように重ね合わされた圧着はがき４は、載置台３０の端面支え部材２０ａ，２０ｂと挟持板１０ａ，１０ｂとによって囲まれた領域に、接着部３ａが生じた端部が上面側となるように載置され、挟持板１０ａ，１０ｂによって表裏から挟み込まれ、かつ、両端部が端面支え部材２０ａ，２０ｂによって支えられた状態となる。この際、まず、上面支え軸１１ａ，１１ｂを、跳ね上げたりすることにより圧着はがき４の載置領域上から退かせ、載置台３０の端面支え部材２０ａ，２０ｂと挟持板１０ａ，１０ｂとによって囲まれた領域に圧着はがき４を載置した後、上面支え軸１１ａ，１１ｂを戻すことにより、載置台３０に載置された圧着はがき４の下面側の端部は下面支え軸１２ａ，１２ｂによって支えられ、圧着はがき４の上面側、すなわち、接着部３ａが生じた端部は上面支え軸１１ａ，１１ｂに当接した状態となる。
【００３０】
次に、上述したように紙捌き装置１の載置台３０上に載置された複数枚の圧着はがき４を捌く際の動作について説明する。
【００３１】
まず、重ね合わされた複数枚の圧着はがき４について接着部３ａが生じてない領域における作用について説明する。
【００３２】
図５は、図１に示した紙捌き装置１にて載置台３０上に載置された圧着はがき４を捌く際の接着部３ａが生じてない領域における作用を説明するための図であり、端面支え部材２０ｂ側から見た図である。
【００３３】
図５に示すように、複数枚の圧着はがき４を、その圧着はがき４の一端部がそれぞれ下面支え軸１２ａ，１２ｂに当接するように載置台３０上に載置し、上述したように一対の挟持板１０ａ，１０ｂによって表裏から挟み込み、空気吹付部であるエアー供給器６１及びエアー供給ノズル６２を駆動させると、エアー供給器６１からエアー供給ノズル６２に空気が送られてエアー供給ノズル６２のエアー吹出口６４から空気が排出されるとともに、エアー供給ノズル６２が挟持板１０ｂ側から挟持板１０ａ側に支持軸６３に沿って移動しはじめる。
【００３４】
エアー供給ノズル６２は、載置台３０の穴部３３に対向する領域に配置されているため、エアー供給器６１から供給された空気は、エアー供給ノズル６２によって、載置台３０の穴部３３から表出した圧着はがき４の端部側となる第１の方向から吹き付けられる。また、エアー供給ノズル６２は、初期状態として、挟持板１０ｂ側に配置されており、また、エアー供給ノズル６２を構成する複数のエアー吹出口６４が、載置台３０上に載置された圧着はがき４の重ね合わせ方向に直交する方向に圧着はがき４の全幅に渡って配列されているため、エアー供給ノズル６２から排出された空気は、載置台３０上に載置された圧着はがき４のうち、まず、挟持板１０ｂに接している圧着はがき４の全幅に渡って吹き付けられ、その後、エアー供給ノズル６２の移動に伴って、その他の圧着はがきに１枚ずつ全幅に渡って順次吹き付けられていくことになる。
【００３５】
エアー供給ノズル６２から排出された空気が、載置台３０上に載置された圧着はがき４に吹き付けられると、図５に示すように、エアー供給ノズル６２によって吹き付けられた空気が圧着はがき４の表裏、すなわち、載置台３０上に載置された複数枚の圧着はがき４の間を通って載置台３０とは反対側に抜け、それにより、載置台３０上に載置された複数枚の圧着はがき４がエアー供給ノズル６２から吹き付けられた空気によって一旦分離する。この際、挟持板１０ａ，１０ｂが、それぞればね３２ａ，３２ｂを介して支持板３１ａ，３１ｂに支持されているので、挟持板１０ａ，１０ｂの間隔が、複数枚の圧着はがき４間に入り込んだ空気の分だけ広がり、複数枚の圧着はがき４が分離することを妨げることがない。
【００３６】
そして、エアー供給ノズル６２が支持軸６３によって圧着はがき４の重ね合わせ方向に移動することにより、載置台３０上に載置された複数枚の圧着はがき４のそれぞれに対して、エアー供給ノズル６２から空気が順次吹き付けられていき、それにより、載置台３０上に載置された複数枚の圧着はがき４の全てがエアー供給ノズル６２から吹き付けられた空気によって一旦分離し、載置台３０上に載置された紙束が捌かれることになる。
【００３７】
次に、重ね合わされた複数枚の圧着はがき４について接着部３ａが生じている領域における作用について説明する。
【００３８】
図６は、図１に示した紙捌き装置１にて載置台３０上に載置された圧着はがき４を捌く際の接着部３ａが生じている領域における作用を説明するための図であり、（ａ）は接着部３ａに空気が吹き付けられた状態を示す図、（ｂ）は吹き付けられた空気によって接着部３ａが剥離した状態を示す図である。
【００３９】
上述したように、載置台３０上に重ね合わされて載置された複数枚の圧着はがき４に対して、圧着はがき４の全幅に渡ってエアー供給ノズル６２から空気が吹き付けられると、吹き付けられた空気が複数枚の圧着はがき４間を通って反対側に抜けて、複数枚の圧着はがき４が分離することになる。
【００４０】
その際、図３に示したように一部に接着部３ａが生じた圧着はがき４においては、図６（ａ）に示すように、エアー供給ノズル６２から吹き付けられた空気が、圧着はがき４間に入り込んで接着部３ａに当たり、エアー供給ノズル６２から空気が吹き付けられる第１の方向とは反対側の第２の方向に飛び出そうとする。ところが、圧着はがき４の第１の方向とは反対側の端部、すなわち、載置台３０上に載置された圧着はがき４の上面側の端部は、上面支え軸１１ａ，１１ｂに当接し、この上面支え軸１１ａ，１１ｂにより、エアー供給ノズル６２から吹き付けられる空気によって反対側に飛び出さないように支えられているので、エアー供給ノズル６２から吹き付けられる空気が接着部３ａに当たっても、接着部３ａによって互いに接着された圧着はがき４が反対側に飛び出すことが規制される。
【００４１】
そのため、エアー供給ノズル６２から吹き付けられた空気による力が圧着はがき４の接着部３ａに強く作用し、それにより、図６（ｂ）に示すように、接着部３ａが剥離して複数枚の圧着はがき４が分離されることになる。このように分離された圧着はがき４においては、図５に示したものと同様に、エアー供給ノズル６２によって吹き付けられた空気が圧着はがき４の表裏、すなわち、載置台３０上に載置された複数枚の圧着はがき４の間を通って載置台３０とは反対側に抜け、それにより、載置台３０上に載置された複数枚の圧着はがき４がエアー供給ノズル６２から吹き付けられた空気によって一旦分離することになる。
【００４２】
このように、重ね合わされた複数枚の圧着はがき４を分離しやすく捌く際に、重ね合わされた複数枚の圧着はがき４に、複数枚の圧着はがき４が接着された接着部３ａが生じている場合であっても、圧着はがき４を捌くためにエアー供給ノズル６２から吹き付けられる空気によって接着部３ａが剥離して、互いに接着されていた複数枚の圧着はがき４を分離することができる。
【００４３】
なお、本形態においては、載置台３０の端面支え部材２０ａ，２０ｂと挟持板１０ａ，１０ｂとによって囲まれた領域に載置された複数枚の圧着はがき４の下面側の端部が２本の下面支え軸１２ａ，１２ｂによって支えられ、また、圧着はがき４の上面側の端部に２本の上面支え軸１１ａ，１１ｂが当接しているが、これら下面支え軸及び上面支え軸の本数はこれに限らない。ただし、下面支え軸１２ａ，１２ｂにおいては、圧着はがき４の下面側の端部が表出する部分が少なくなると、エアー供給ノズル６２から吹き付けられた空気が複数枚の圧着はがき４間に入り込みにくくなり、また、上面支え軸１１ａ，１１ｂにおいては、圧着はがき４の上面側の端部が表出する部分が少なくなると、エアー供給ノズル６２から吹き付けられて複数枚の圧着はがき４間に入り込んだ空気の逃げ道が少なくなり、複数枚の圧着はがき４を分離しやすく捌く効果が低減してしまうため、それらの本数は少ない方が好ましい。
【００４４】
（他の実施の形態）
図７は、本発明の紙捌き装置の他の実施の形態を示す図であり、（ａ）は外観斜視図、（ｂ）は上面から見た図である。
【００４５】
本形態は図７に示すように、図１に示したものに対して、上面支え軸１１ａ，１１ｂの代わりに支持部材として網状の上面支え板１１１が設けられるとともに、下面支え軸１２ａ，１２ｂの代わりに網状の下面支え板１１２が設けられる点のみが異なるものである。
【００４６】
上記のように構成された紙捌き装置１０１においても、載置台３０の端面支え部材２０ａ，２０ｂと挟持板１０ａ，１０ｂとによって囲まれた領域に、重ね合わされた複数枚の用紙を載置し、下面側となる端部を支えながらもエアー供給ノズル６２によって用紙の全幅に渡って空気を吹き付けることができ、また、吹き付けられた空気を複数枚の用紙の反対側に抜けるようにしながらも、エアー供給ノズル６２から吹き付けられる空気によって複数枚の用紙が反対側に飛び出さないように支えることができる。
【００４７】
なお、上述した実施の形態においては、エアー供給ノズル６２を構成する複数のエアー吹出口６４が、載置台３０の端面支え部材２０ａ，２０ｂと挟持板１０ａ，１０ｂとによって囲まれた領域に載置された用紙の重ね合わせ方向に直交する方向に、用紙の全幅に渡って配列され、それにより、エアー供給ノズル６２が、載置台３０の端面支え部材２０ａ，２０ｂと挟持板１０ａ，１０ｂとによって囲まれた領域に重ね合わされて載置された複数枚の用紙に対して、用紙の全幅に渡って空気を吹き付けているが、用紙の全幅よりも狭い幅を有する複数のエアー供給ノズル６２を用紙の重ね合わせ方向に直交する方向に配列することも考えられる。
【００４８】
また、載置台３０上に載置された複数枚の用紙を表裏から挟み込む挟持板１０ａ，１０ｂは、それぞれがばね３２ａ，３２ｂを介して支持板３１ａ，３１ｂに固定されることにより互いの間隔が可変となっているが、２枚の挟持板１０ａ，１０ｂのうち一方のみがばねを介して支持板に固定され、他方が支持板に直に固定されることにより、互いの間隔が可変となっていてもよい。
【００４９】
また、上述した実施の形態にて示した紙捌き装置１，１０１によって分離される用紙としては、上述したような圧着はがき４に限らず、用紙に施された接着加工によって複数枚重ね合わされた状態においてその一部が接着したものであれば適用することができる。また、その接着領域においては、載置台３０上に載置された場合に上面側となる端部に限らない。ただし、載置台３０上に載置された場合に下面側となる端部が接着されたものにおいては、エアー供給ノズル６２から吹き付けられた空気が圧着はがき４間に入り込まないため、好ましくない。
【図面の簡単な説明】
【００５０】
【図１】本発明の紙捌き装置の実施の一形態を示す図であり、（ａ）は外観斜視図、（ｂ）は上面から見た図である。
【図２】図１に示したエアー供給ノズルの詳細な構造を示す図である。
【図３】図１に示した紙捌き装置にて捌かれる用紙の一例を示す図であり、（ａ）は重ね合わされた断面図、（ｂ）は重ね合わされた斜視図である。
【図４】図１に示した紙捌き装置の載置台上に図３に示したように重ね合わされた圧着はがきが載置された状態を示す図であり、（ａ）は上から見た図、（ｂ）は端面支え部材側から見た図である。
【図５】図１に示した紙捌き装置にて載置台上に載置された圧着はがきを捌く際の接着部が生じてない領域における作用を説明するための図である。
【図６】図１に示した紙捌き装置にて載置台上に載置された圧着はがきを捌く際の接着部が生じている領域における作用を説明するための図であり、（ａ）は接着部に空気が吹き付けられた状態を示す図、（ｂ）は吹き付けられた空気によって接着部が剥離した状態を示す図である。
【図７】本発明の紙捌き装置の他の実施の形態を示す図であり、（ａ）は外観斜視図、（ｂ）は上面から見た図である。
【図８】圧着はがきを作製するための圧着はがき用連続紙の一構成例を示す図であり、（ａ）は表面の構成を示す図、（ｂ）は（ａ）に示したＡ−Ａ’断面図である。
【図９】図８に示した圧着はがき用連続紙から圧着はがきを作製する場合に、はがき部とマージナル部とが組で単片状となったものを重ね合わせた状態でカットラインに沿ってはがき用紙を断裁する際の作用を説明するための図であり、（ａ）ははがき部とマージナル部とが組で単片状となったものを重ね合わせた状態を示す斜視図、（ｂ）は（ａ）に示した状態でカットラインに沿ってはがき用紙が断裁された状態を示す斜視図である。
【符号の説明】
【００５１】
１，１０１    紙捌き装置
２    はがき用紙
３    感圧接着剤
３ａ    接着部
４    圧着はがき
１０ａ，１０ｂ    挟持板
１１ａ，１１ｂ    上面支え軸
１２ａ，１２ｂ    下面支え軸
２０ａ，２０ｂ    端面支え部材
３０    載置台
３１ａ，３１ｂ    支持板
３２ａ，３２ｂ    ばね
３３    穴部
６１    エアー供給器
６２    エアー供給ノズル
６３    支持軸
６４    エアー吹出口
１１１    上面支え板
１１２    下面支え板
【図１】
2009067586.tif 000003
【図２】
2009067586.tif 000004
【図３】
2009067586.tif 000005
【図４】
2009067586.tif 000006
【図５】
2009067586.tif 000007
【図６】
2009067586.tif 000008
【図７】
2009067586.tif 000009
【図８】
2009067586.tif 000010
【図９】
2009067586.tif 000011